(57)【要約】【課題】携帯電話やパソコン或は双方向テレビ等の双方向通信手段を用いて、心を癒すことを目的としたカウンセリングシステムを提供する。【解決手段】携帯電話やパソコン或は双方向テレビ等の双方向通信手段１と受信局２とを，中継交換機４，サーバー３および受信交換機５を介して接続し、利用者が前記双方向通信手段１によって受信局２にアクセスすると，受信局２から，利用者が求める癒しのパターン６を選択すべく音声または画像によるガイダンスが双方向通信手段１に送信され、利用者が前記双方向通信手段１によって癒しのパターン６を選択すると，それに対するガイド音声７またはガイド文字８あるいはその両方が受信局２から双方向通信手段１に送信され、利用者がガイド音声７またはガイド文字８に対応して言葉９を発すると、それに対する癒しの音声１０と癒しの静止又は動画像１１が，受信局２から双方向通信手段１に送信される。【選択図】      図１
2006031090.tif 000002
【特許請求の範囲】
【請求項１】
人の心の癒しを目的としたカウンセリングシステムであって、携帯電話やパソコン或は双方向テレビ等の双方向通信手段（１）と受信局（２）とを，中継交換機（４），サーバー（３）および受信交換機（５）を介して接続し、利用者が前記双方向通信手段によって前記受信局にアクセスすると，前記受信局から，前記利用者が求める癒しのパターン（６）を選択すべく音声または画像によるガイダンスが前記双方向通信手段に送信され、前記利用者が前記双方向通信手段によって癒しのパターンを選択すると，それに対するガイド音声（７）またはガイド文字（８）あるいはその両方が前記受信局から前記双方向通信手段に送信され、前記利用者が前記ガイド音声またはガイド文字に対応して言葉（９）を発すると，それに対する癒しの音声（１０）と癒しの静止又は動画像（１１）が，前記受信局から前記双方向通信手段に送信されることを特徴とするカウンセリングシステム。
【請求項２】
人の心の癒しを目的としたカウンセリングシステムであって、携帯電話やパソコン或は双方向テレビ等の双方向通信手段（１）と受信局（２）とを，中継交換機（４），サーバー（３）および受信交換機（５）を介して接続し、利用者が前記双方向通信手段によって前記受信局にアクセスすると，前記受信局から，前記利用者が求める癒しのパターン（６）を選択すべく音声または画像によるガイダンスが前記双方向通信手段に送信され、前記利用者が前記双方向通信手段によって癒しのパターンを選択すると，それに対するガイド音声（７）またはガイド文字（８）またはその両方が前記受信局から前記双方向通信手段に送信され、前記利用者が前記ガイド音声またはガイド文字に対応して言葉（９）を発すると，それに対する癒しの音声（１０）と癒しの静止又は動画像（１１）が，前記受信局から前記双方向通信手段に送信されるものであり、前記癒しのパターンが，怒り・不満，喜び・感謝，希望，反省・告白，救助・不安，およびその他であることを特徴とするカウンセリングシステム。
【請求項３】
少なくとも、受信局（２）から双方向通信手段（１）に送信される癒しの音声（１０）が、レコーディングによる一文の一声癒しであり、癒しの静止又は動画像（１１）が顔文字であることを特徴とする請求項１または２に記載のカウンセリングシステム。
【発明の詳細な説明】
【技術分野】
【０００１】
本発明は、人の心の癒しを目的として、携帯電話やパソコン或は双方向テレビ等の双方向通信手段を用いて行うカウンセリングシステムに関するものである。
【背景技術】
【０００２】
近年、現代社会における日々のストレスが人々の心を蝕み、それによって多くの人が通常の社会生活を送ることができないといった状況が生まれている。しかし、現代を生きる人々にとって、こうしたストレスを避けて生活することはできない。
【発明の開示】
【発明が解決しようとする課題】
【０００３】
従って、日々のストレスを心に溜めることなく、いつでも容易に、かつ高額の費用をかけることなく解消することができれば、誰しも、通常の社会生活を楽しく過ごすことが可能となる。
【０００４】
本発明はこうした点に着目して創案されたもので、携帯電話やパソコン或は双方向テレビ等の双方向通信手段を用いて、現代社会に生きる人々のストレスによる心の痛みを癒して、通常の生活を楽しく過ごすことができるようにすることを目的としたカウンセリングシステムを提供することを課題とする。
【課題を解決するための手段】
【０００５】
図１乃至図４を参照して説明する。請求項１に記載の発明は、人の心の癒しを目的としたカウンセリングシステムであって、携帯電話やパソコン或は双方向テレビ等の双方向通信手段１と受信局２とを，中継交換機４，サーバー３および受信交換機５を介して接続し、利用者が前記双方向通信手段１によって前記受信局２にアクセスすると，前記受信局２から，前記利用者が求める癒しのパターン６を選択すべく音声または画像によるガイダンスが前記双方向通信手段１に送信され、前記利用者が前記双方向通信手段１によって癒しのパターン６を選択すると，それに対するガイド音声７またはガイド文字８あるいはその両方が前記受信局２から前記双方向通信手段１に送信され、前記利用者が前記ガイド音声７またはガイド文字８に対応して言葉９を発すると，それに対する癒しの音声１０と癒しの静止又は動画像１１が，前記受信局２から前記双方向通信手段１に送信されることを特徴とするものである。
【０００６】
請求項２に記載の発明は、人の心の癒しを目的としたカウンセリングシステムであって、携帯電話やパソコン或は双方向テレビ等の双方向通信手段１と受信局２とを，中継交換機４、サーバー３および受信交換機５を介して接続し、利用者が前記双方向通信手段１によって前記受信局２にアクセスすると，前記受信局２から，前記利用者が求める癒しのパターン６を選択すべく音声または画像によるガイダンスが前記双方向通信手段１に送信され、前記利用者が前記双方向通信手段１によって癒しのパターン６を選択すると，それに対するガイド音声７またはガイド文字８あるいはその両方が前記受信局２から前記双方向通信手段１に送信され、前記利用者が前記ガイド音声７またはガイド文字８に対応して言葉９を発すると，それに対する癒しの音声１０と癒しの静止又は動画像１１が，前記受信局２から前記双方向通信手段１に送信されるものであり、前記癒しのパターン６が，怒り・不満、喜び・感謝、希望、反省・告白，救助・不安、およびその他であることを特徴とするものである。
【０００７】
請求項３に記載の発明は、請求項１または２に記載のカウンセリングシステムにおいて、受信局２から双方向通信手段１に送信される癒しの音声１０が、レコーディングによる一文の一声癒しであり、癒しの静止又は動画像１１が顔文字であることを特徴とするものである。
【発明の効果】
【０００８】
請求項１に記載のカウンセリングシステムは、携帯電話やパソコン或は双方向テレビ等の双方向通信手段１と受信局２とを、中継交換機４、サーバー３および受信交換機５を介して接続し、利用者が双方向通信手段１を用いて受信局２にアクセスして癒しのパターン６を選択すると、当該受信局２から双方向通信手段１にガイド音声７またはガイド文字８あるいはその両方が送信され、それに対して言葉９を発することによって、受信局２からそれに対する癒しの音声１０と癒しの静止又は動画像１１を得ることができる。従って、利用者はいつでも容易に、かつ定額料金で自身の心を癒すことができる。これにより、日々のストレスを溜めることなく社会生活を楽しく送ることが可能となる。
【０００９】
なお、受信局２から双方向通信手段１に送られるガイド音声７と癒しの音声１０は、専門のカウンセラーによる肉声であっても良いし、レコーディングでも良い。
【００１０】
請求項２に記載のカウンセリングシステムは、請求項１に記載の発明と同様に、利用者は、いつでも容易に、かつ定額料金で心を癒すことができる。また、癒しのパターン６が（イ）怒り・不満、（ロ）喜び・感謝、（ハ）希望、（ニ）反省・告白、（ホ）救助・不安、（ヘ）その他とストレスの原因の全てを網羅しているので、いかなる類の癒しも得ることができる。
【００１１】
請求項３に記載のカウンセリングシステムは、請求項１および２に記載の発明と同様の効果を発揮すると共に、少なくとも、受信局２から双方向通信手段１に送信される癒しの音声１０が、レコーディングによる一文のいわゆる一声癒しであるため、昼夜を問わずいつでも心の癒しを受けることができる。また、癒しの静止又は動画像１１が顔文字であるため、それを見ることによってさらに心が癒される。
【発明を実施するための最良の形態】
【００１２】
本発明に係るカウンセリングシステムの実施形態を、図１乃至図４に示す。
これは、人の心の癒しを目的としたカウンセリングシステムであって、携帯電話やパソコン或は双方向テレビ等の双方向通信手段１と受信局２とを、中継交換機４、サーバー３および受信交換機５を介して接続して通信手段を構成する（図１参照）。なお、中継交換機４と受信交換機５は、音声をデジタル化し、また、デジタル信号を音声化するものである。
【００１３】
このカウンセリングシステムにおいては、まず、心の癒しを求める利用者が双方向通信手段１を使用して受信局２にアクセスする。これにより、受信局２から双方向通信手段１に、利用者が求める癒しのパターン６を選択すべく音声によるオペレーターによるガイダンスが送信される（図２参照）。なお、このガイダンスはレコーディングで行うこともできるし、画像で行うこともできる。
【００１４】
このガイダンスに応じて利用者が双方向通信手段１を使用して癒しのパターン６を選択すると、受信局２からそれに対するガイド音声７とガイド文字８が双方向通信手段１に送信される。このガイド音声７等に従って、利用者がストレスを解消するための言葉９を発すると、受信局２から、それに対する癒しの音声１０と癒しの静止又は動画像１１が双方向通信手段１に送信される（図３参照）。利用者はこの癒しの音声１０を聴き、また、癒しの静止又は動画像１１を見ることにより心が癒され、ストレスを解消することができる。
【００１５】
なお、本実施形態においては、癒しのパターン６を（イ）怒り・不満、（ロ）喜び・感謝、（ハ）希望、（ニ）反省・告白、（ホ）救助・不安、（ヘ）その他、の６項目に分けて、利用者がこの内の一つを選択できるようにしている。この選択は、例えば、双方向通信手段１がパソコンであれば、キーボードの該当する数字を叩くことによって行うようにすることができる。
【００１６】
また、本実施形態では、受信局２から双方向通信手段１に送信される癒しの音声１０が、レコーディングによる一文のいわゆる一声癒しとし、癒しの静止又は動画像１１を顔文字としている。また、ガイド音声７もレコーディングによるものとしている。
【００１７】
例えば、利用者が「怒り・叫び」を選択すると、受信局２から「思いきり叫んでみて！気持ちが晴れるよ。」といったガイド音声７とガイド文字８が双方向通信手段１に送られてくる。これに対して、利用者が「馬鹿ヤロー」等と叫ぶと、これを受信した受信局２から「分かる分かるその気持ちはよく解るよ」といった癒しの音声１０が双方向通信手段１に送信されると共に、その画面に「うーん、うーん」とうなずく感じの顔文字が表示される。利用者はこの癒しの音声１０を聴き、癒しの静止又は動画像１１を見ることによって気持ちが和み、心が癒される。
【図面の簡単な説明】
【００１８】
【図１】本発明に係るカウンセリングシステムの実施形態における通信手段を示す構成図である。
【図２】図１に示す実施形態において、利用者による癒しのパターン選択時を示すチャートである。
【図３】図１に示す実施形態において、受信局から双方向通信手段へ音声画像送信時を示すチャートである。
【図４】図１に示す実施形態において、癒しのパターンを示すチャートである。
【符号の説明】
【００１９】
１      双方向通信手段
２      受信局
３      サーバー
４      中継交換機
５      受信交換機
６      癒しのパターン
７      ガイド音声
８      ガイド文字
９      言葉
１０    癒しの音声
１１    癒しの静止又は動画像
【図１】
2006031090.tif 000003
【図２】
2006031090.tif 000004
【図３】
2006031090.tif 000005
【図４】
2006031090.tif 000006